(57)【要約】【課題】課題は、インターホン親機を操作しなくてもインターホン親機に対する呼出しへの応答を可能にすることである。【解決手段】通知システム２０は、呼出し信号Ｓ２０を受け取ると通知処理を行う通知部Ｆ１０を備える。呼出し信号Ｓ２０は、施設１００の管理領域１２０に設置されて施設１００内の通信線Ｌ１０に接続されるインターホン親機５０を指定する信号であって通信線Ｌ１０を通る第１通信経路Ｐ１１を介して送信される。通知処理は、呼出し信号Ｓ２０で指定されたインターホン親機５０に対応する情報端末８０に、通知信号Ｓ３０を送信する処理である。通知信号Ｓ３０は、通信線Ｌ１０を通らない第２通信経路Ｐ１２を介して呼出し信号Ｓ２０の送信元と接続するための接続情報を含む。【選択図】  図１
2019102949.tif 000002
【特許請求の範囲】
【請求項１】
施設の管理領域に設置されて前記施設内の通信線に接続されるインターホン親機を指定する信号であって前記通信線を通る第１通信経路を介して送信される呼出し信号を受け取ると通知処理を行う通知部を備え、
前記通知処理は、前記呼出し信号で指定されたインターホン親機に対応する１以上の情報端末に、通知信号を送信する処理であり、
前記通知信号は、前記通信線を通らない第２通信経路を介して前記呼出し信号の送信元と接続するための接続情報を含む、
通知システム。
【請求項２】
前記接続情報は、前記呼出し信号の送信元を示す識別情報を含む、
請求項１の通知システム。
【請求項３】
前記通知部は、前記呼出し信号に含まれる情報に応じて、前記１以上の情報端末から前記通知信号の送信先を選択するように構成される、
請求項１又は２の通知システム。
【請求項４】
請求項１〜３のいずれか一つの通知システムと通信する情報端末であって、
前記通知システムから前記通知信号を受け取ると、接続処理を開始する処理部を備え、
前記接続処理は、前記第２通信経路を介して前記呼出し信号の送信元と接続する処理である、
情報端末。
【請求項５】
前記処理部は、前記呼出し信号の送信元に前記呼出し信号に対する応答信号を送信すると、前記応答信号を送信したことを前記通知システムに通知するように構成される、
請求項４の情報端末。
【請求項６】
前記処理部は、所定の機能を実現する１以上の処理のうち、ユーザに選択された処理を実行するように構成され、
前記処理部は、ユーザに選択された処理が前記１以上の処理のうちの禁止された処理に該当すれば、ユーザに選択された処理を実行しないように構成される、
請求項４又は５の情報端末。
【請求項７】
施設の管理領域に設置されるインターホン親機に前記施設内の通信線を介して接続される制御装置であって、
呼出し処理と待ち受け処理とを行う処理部を備え、
前記呼出し処理は、前記インターホン親機を指定する呼出し信号を前記通信線を通る第１通信経路に出力する処理であり、
前記待ち受け処理は、前記呼出し信号で指定されたインターホン親機に対応する１以上の情報端末からの前記呼出し信号に対する応答信号を、前記通信線を通らない第２通信経路で待ち受ける処理である、
制御装置。
【請求項８】
前記処理部は、前記応答信号を受け取ると、前記呼出し処理を終了するように構成される、
請求項７の制御装置。
【請求項９】
前記処理部は、受け取った応答信号が、前記呼出し信号に対する応答であるかどうかを確認する確認処理を行うように構成される、
請求項７又は８の制御装置。
【請求項１０】
施設の管理領域に設置されるインターホン親機に前記施設内の通信線を介して接続される制御装置であって、
第１呼出し処理と第２呼出し処理とを行う処理部を備え、
前記第１呼出し処理は、前記インターホン親機を指定する第１呼出し信号を前記通信線を通る第１通信経路に出力する処理であり、
前記第２呼出し処理は、前記第１呼出し信号で指定されたインターホン親機に対応する１以上の情報端末に、前記通信線を通らない第２通信経路を介して第２呼出し信号を送信する処理である、
制御装置。
【請求項１１】
１以上のプロセッサに、所定の条件が満たされた際に通知処理を行わせる指示を含み、
前記所定の条件は、施設の管理領域に設置されたインターホン親機が接続された通信線を通る第１通信経路を介して送信される前記インターホン親機を指定する呼出し信号を受け取ったことであり、
前記通知処理は、前記呼出し信号で指定されたインターホン親機に対応する１以上の情報端末に、通知信号を送信する処理であり、
前記通知信号は、前記通信線を通らない第２通信経路を介して前記呼出し信号の送信元と接続するための接続情報を含む、
通知プログラム。
【請求項１２】
１以上のプロセッサに、所定の条件が満たされた際に接続処理を行わせる指示を含み、
前記所定の条件は、施設の管理領域に設置されて前記施設内の通信線に接続されるインターホン親機を含む通知システムから通知信号を受け取ったことであり、
前記通知信号は、前記通信線を通る第１通信経路を介して前記インターホン親機を指定する呼出し信号を受け取った際に前記通知システムから送信される信号であって、前記通信線を通らない第２通信経路を介して前記呼出し信号の送信元と接続するための接続情報を含み、
前記接続処理は、前記第２通信経路を介して前記呼出し信号の送信元と接続する処理である、
接続プログラム。
【請求項１３】
１以上のプロセッサに、呼出し処理と待ち受け処理とを行わせる指示を含み、
前記呼出し処理は、施設の管理領域に設置されて前記施設内の通信線に接続されるインターホン親機を指定する呼出し信号を前記通信線を通る第１通信経路に出力する処理であり、
前記待ち受け処理は、前記呼出し信号で指定されたインターホン親機に対応する１以上の情報端末からの前記呼出し信号に対する応答信号を、前記通信線を通らない第２通信経路で待ち受ける処理である、
制御プログラム。
【請求項１４】
１以上のプロセッサに、第１呼出し処理と第２呼出し処理とを行わせる指示を含み、
前記第１呼出し処理は、施設の管理領域に設置されて前記施設内の通信線に接続されるインターホン親機を指定する第１呼出し信号を前記通信線を通る第１通信経路に出力する処理であり、
前記第２呼出し処理は、前記第１呼出し信号で指定されたインターホン親機に対応する１以上の情報端末に、前記通信線を通らない第２通信経路を介して第２呼出し信号を送信する処理である、
制御プログラム。
【請求項１５】
施設の管理領域に設置されて前記施設内の通信線に接続されるインターホン親機を指定する信号であって前記通信線を通る第１通信経路を介して送信される呼出し信号を受け取った際に通知システムから送信される通知信号を受け取るステップと、
接続処理を行うステップと、
を含み、
前記通知信号は、前記通信線を通らない第２通信経路を介して前記呼出し信号の送信元と接続するための接続情報を含み、
前記接続処理は、前記第２通信経路を介して前記呼出し信号の送信元と接続する処理である、
接続方法。
【発明の詳細な説明】
【技術分野】
【０００１】
本開示は、一般に、通知システム、情報端末、制御装置、通知プログラム、接続プログラム、制御プログラム、及び、接続方法に関する。本開示は、特に、複数のインターホン親機を含む通知システム、通知システムに接続される情報端末、及び、通知システムに接続される制御装置に関する。また、本開示は、特に、通知システムで使用される通知プログラム、情報端末で使用される接続プログラム、制御装置で使用される制御プログラム、及び、情報端末で実行される接続方法に関する。
【背景技術】
【０００２】
特許文献１は、インターホンシステムを開示する。特許文献１のインターホンシステムは、集合住宅に用いられており、複数のインターホン子機と、複数のインターホン親機と、通信装置（制御装置）と、ロビーインターホンと、を備えている。複数のインターホン子機は複数の住戸の外玄関に設置され、複数のインターホン親機は複数の住戸内に設置される。また、通信装置は、集合住宅の管理室に設置され、ロビーインターホンは、集合住宅の共用玄関に設置される。来訪者がロビーインターホンを操作して住戸を呼び出した場合、通信装置は、呼び出された住戸のインターホン親機とロビーインターホンとを接続し、両者間での通信（通話）を中継する。
【先行技術文献】
【特許文献】
【０００３】
【特許文献１】特開２０１７−１３９６７０号公報
【発明の概要】
【発明が解決しようとする課題】
【０００４】
特許文献１のインターホンシステムでは、ユーザがインターホン親機の操作をできない場合（例えば、ユーザが住戸に不在の場合）、ロビーインターホンからの呼び出しにインターホン親機で応答できないため、来訪者と通話を行うことができない。
【０００５】
本開示の課題は、インターホン親機を操作しなくてもインターホン親機に対する呼出しへの応答を可能にする通知システム、情報端末、制御装置、通知プログラム、接続プログラム、制御プログラム、及び、接続方法を提供することである。
【課題を解決するための手段】
【０００６】
本開示の一態様の通知システムは、呼出し信号を受け取ると通知処理を行う通知部を備える。前記呼出し信号は、施設の管理領域に設置されて前記施設内の通信線に接続されるインターホン親機を指定する信号であって前記通信線を通る第１通信経路を介して送信される。前記通知処理は、前記呼出し信号で指定されたインターホン親機に対応する１以上の情報端末に、通知信号を送信する処理である。前記通知信号は、前記通信線を通らない第２通信経路を介して前記呼出し信号の送信元と接続するための接続情報を含む。
【０００７】
本開示の一態様の情報端末は、前記通知システムと通信する情報端末であって、処理部を備える。前記処理部は、前記通知システムから前記通知信号を受け取ると、接続処理を開始するように構成される。前記接続処理は、前記第２通信経路を介して前記呼出し信号の送信元と接続する処理である。
【０００８】
本開示の一態様の制御装置は、施設の管理領域に設置されるインターホン親機に前記施設内の通信線を介して接続される制御装置であって、呼出し処理と待ち受け処理とを行う処理部を備える。前記呼出し処理は、前記インターホン親機を指定する呼出し信号を前記通信線を通る第１通信経路に出力する処理である。前記待ち受け処理は、前記呼出し信号で指定されたインターホン親機に対応する１以上の情報端末からの前記呼出し信号に対する応答信号を、前記通信線を通らない第２通信経路で待ち受ける処理である。
【０００９】
本開示の一態様の制御装置は、施設の管理領域に設置されるインターホン親機に前記施設内の通信線を介して接続される制御装置であって、第１呼出し処理と第２呼出し処理とを行う処理部を備える。前記第１呼出し処理は、前記インターホン親機を指定する第１呼出し信号を前記通信線を通る第１通信経路に出力する処理である。前記第２呼出し処理は、前記第１呼出し信号で指定されたインターホン親機に対応する１以上の情報端末に、前記通信線を通らない第２通信経路を介して第２呼出し信号を送信する処理である。
【００１０】
本開示の一態様の通知プログラムは、１以上のプロセッサに、所定の条件が満たされた際に通知処理を行わせる指示を含む。前記所定の条件は、施設の管理領域に設置されたインターホン親機が接続された通信線を通る第１通信経路を介して送信される前記インターホン親機を指定する呼出し信号を受け取ったことである。前記通知処理は、前記呼出し信号で指定されたインターホン親機に対応する１以上の情報端末に、通知信号を送信する処理である。前記通知信号は、前記通信線を通らない第２通信経路を介して前記呼出し信号の送信元と接続するための接続情報を含む。
【００１１】
本開示の一態様の接続プログラムは、１以上のプロセッサに、所定の条件が満たされた際に接続処理を行わせる指示を含む。前記所定の条件は、施設の管理領域に設置されて前記施設内の通信線に接続されるインターホン親機を含む通知システムから通知信号を受け取ったことである。前記通知信号は、前記通信線を通る第１通信経路を介して前記インターホン親機を指定する呼出し信号を受け取った際に前記通知システムから送信される信号である。前記通知信号は、前記通信線を通らない第２通信経路を介して前記呼出し信号の送信元と接続するための接続情報を含む。前記接続処理は、前記第２通信経路を介して前記呼出し信号の送信元と接続する処理である。
【００１２】
本開示の一態様の制御プログラムは、１以上のプロセッサに、呼出し処理と待ち受け処理とを行わせる指示を含む。前記呼出し処理は、施設の管理領域に設置されて前記施設内の通信線に接続されるインターホン親機を指定する呼出し信号を前記通信線を通る第１通信経路に出力する処理である。前記待ち受け処理は、前記呼出し信号で指定されたインターホン親機に対応する１以上の情報端末からの前記呼出し信号に対する応答信号を、前記通信線を通らない第２通信経路で待ち受ける処理である。
【００１３】
本開示の一態様の制御プログラムは、１以上のプロセッサに、第１呼出し処理と第２呼出し処理とを行わせる指示を含む。前記第１呼出し処理は、施設の管理領域に設置されて前記施設内の通信線に接続されるインターホン親機を指定する第１呼出し信号を前記通信線を通る第１通信経路に出力する処理である。前記第２呼出し処理は、前記第１呼出し信号で指定されたインターホン親機に対応する１以上の情報端末に、前記通信線を通らない第２通信経路を介して第２呼出し信号を送信する処理である。
【００１４】
本開示の一態様の接続方法は、呼出し信号を受け取った際に通知システムから送信される通知信号を受け取るステップと、接続処理を行うステップと、を含む。前記呼出し信号は、施設の管理領域に設置されて前記施設内の通信線に接続されるインターホン親機を指定する信号であって前記通信線を通る第１通信経路を介して送信される。前記通知信号は、前記通信線を通らない第２通信経路を介して前記呼出し信号の送信元と接続するための接続情報を含む。前記接続処理は、前記第２通信経路を介して前記呼出し信号の送信元と接続する処理である。
【発明の効果】
【００１５】
本開示の態様によれば、インターホン親機を操作しなくてもインターホン親機に対する呼出しへの応答が可能になるという効果を奏する。
【図面の簡単な説明】
【００１６】
【図１】図１は、一実施形態の通知システムを含むインターホンシステムの構成図である。
【図２】図２は、上記インターホンシステムの制御装置のブロック図である。
【図３】図３は、上記インターホンシステムのインターホン親機のブロック図である。
【図４】図４は、上記インターホンシステムのサーバのブロック図である。
【図５】図５は、上記インターホンシステムの情報端末のブロック図である。
【図６】図６は、上記インターホンシステムの動作のシーケンス図である。
【図７】図７は、変形例のインターホンシステムの構成図である。
【図８】図８は、上記変形例のインターホンシステムのインターホン親機のブロック図である。
【図９】図９は、上記インターホンシステムの動作のシーケンス図である。
【発明を実施するための形態】
【００１７】
１．実施形態
１．１  概要
図１は、インターホンシステム１０を示す。インターホンシステム１０は、通知システム２０を含んでいる。通知システム２０は、呼出し信号Ｓ２０を受け取ると、通知処理を行う通知部Ｆ１０を備える。呼出し信号Ｓ２０は、施設１００の管理領域１２０に設置されて施設１００内の通信線Ｌ１０に接続されるインターホン親機５０（５０１，５０２，５０３）を指定する信号であって、通信線Ｌ１０を通る第１通信経路Ｐ１１を介して送信される。通知処理は、呼出し信号Ｓ２０で指定されたインターホン親機５０１に対応する１以上の情報端末８０（図１では情報端末８０１）に、通知信号Ｓ３０を送信する処理である。通知信号Ｓ３０は、通信線Ｌ１０を通らない第２通信経路Ｐ１２を介して呼出し信号Ｓ２０の送信元（図１では制御装置４０）と接続するための接続情報を含む。
【００１８】
このようにインターホンシステム１０は、通知システム２０を含み、通知システム２０は、呼出し信号Ｓ２０に応答して、呼出し信号Ｓ２０で指定されたインターホン親機５０１に対応する１以上の情報端末８０に、通知信号Ｓ３０を送信する。通知信号Ｓ３０は、通信線Ｌ１０を通らない第２通信経路Ｐ１２を介して呼出し信号Ｓ２０の送信元と接続するための接続情報を含んでいるから、通知信号Ｓ３０を受け取った情報端末８０は、呼出し信号Ｓ２０の送信元との通信が可能となる。つまり、ユーザが、インターホン親機５０だけではなく情報端末８０によっても呼出し信号Ｓ２０に対する応答が可能になる。そのため、通知システム２０によればインターホン親機５０を操作しなくてもインターホン親機５０に対する呼出しへの応答が可能になる。
【００１９】
なお、図１では、第１通信経路Ｐ１１は、インターホン親機５０１が呼出し信号Ｓ２０で指定された場合に対応する通信経路である。呼出し信号Ｓ２０がインターホン親機５０１とは別のインターホン親機５０（例えば、インターホン親機５０２又はインターホン親機５０３）を指定する場合は、第１通信経路Ｐ１１は、図１とは異なる経路となるが、通信線Ｌ１０は通る。通信線Ｌ１０を通る通信経路とは、通信経路の一部が通信線Ｌ１０の少なくとも一部で構成されていることをいう。また、図１では、第２通信経路Ｐ１２は、通知信号Ｓ３０が情報端末８０１に送信された場合に対応する通信経路であり、呼出し信号Ｓ２０の送信元は制御装置４０である。通知信号Ｓ３０が情報端末８０１とは別の情報端末８０（例えば、情報端末８０２）に送信された場合には、第２通信経路Ｐ１２は、図１とは異なる経路となるが、通信線Ｌ１０は通らない。
【００２０】
１．２  構成
（１）全体
以下、インターホンシステム１０について詳細に説明する。インターホンシステム１０は、図１に示すように、共用インターホン３０と、制御装置４０と、複数のインターホン親機５０と、複数のインターホン子機６０と、サーバ７０と、複数の情報端末８０と、を含んでいる。ここで、複数のインターホン親機５０と、サーバ７０とは、通知システム２０を構成する。
【００２１】
共用インターホン３０と、制御装置４０と、複数のインターホン親機５０と、複数のインターホン子機６０とは、施設１００に設置されている。施設１００は、共用領域１１０と、複数の管理領域１２０とを含んでいる。施設１００は、敷地及び敷地内の１以上の建物を含み得る。施設１００の例としては、集合住宅、オフィスビル、商業施設、ホテル、病院、工場、学校、及び老人ホームが挙げられる。本実施形態では、施設１００は集合住宅である。共用領域１１０は、例えば、施設１００の利用者（居住者及び訪問者等）が共用する領域（場所）である。例えば、共用領域１１０は、集合住宅の共用玄関（ロビー）である。管理領域１２０は、例えば、原則として施設１００の特定の利用者が占有する領域（場所）である。例えば、管理領域１２０は、集合住宅の住戸である。施設１００は、必ずしも複数の管理領域１２０を含むとは限らず、単一の管理領域１２０を含んでいる場合もある。
【００２２】
図１に示すように、共用インターホン３０は共用領域１１０に設置され、インターホン親機５０及びインターホン子機６０のペアが各管理領域１２０に設置されている。特に、管理領域１２０が住戸である場合、インターホン親機５０は住戸の内部に、インターホン子機６０は住戸の外玄関に設置されている。制御装置４０は、施設１００全体の管理を行う領域に設置される。例えば、制御装置４０は、集合住宅の管理室に設置されている。
【００２３】
共用インターホン３０は、第１伝送線Ｌ２１により制御装置４０に接続されている。第１伝送線Ｌ２１は、例えば、ツイストペア線である。制御装置４０は、施設１００内の通信線Ｌ１０により、複数のインターホン親機５０に接続されている。つまり、制御装置４０は、施設１００の複数の管理領域１２０に設置される複数のインターホン親機５０に施設１００内の通信線Ｌ１０を介して接続される。通信線Ｌ１０は、例えば、幹線と、複数の分岐器と、複数の分岐線とで構成されている。幹線は、制御装置４０に接続されている線であり、複数の分岐線は、複数のインターホン親機５０に接続されている線である。複数の分岐器は、複数の分岐線を幹線に接続している。つまり、複数の分岐線は、複数の分岐器によって幹線から分岐している。同じ管理領域１２０にあるインターホン親機５０及びインターホン子機６０は、第２伝送線Ｌ２２により相互に接続されている。なお、通信線Ｌ１０、第１伝送線Ｌ２１、及び第２伝送線Ｌ２２の各々は、ツイストペア線を利用して構成されている。
【００２４】
このように、施設１００においては、共用インターホン３０と、制御装置４０と、複数のインターホン親機５０と、複数のインターホン子機６０とを含むネットワークが構成されている。
【００２５】
制御装置４０と、複数のインターホン親機５０と、サーバ７０と、複数の情報端末８０とは、通信ネットワーク９０に接続可能である。通信ネットワーク９０は、単一の通信プロトコルに準拠したネットワークだけではなく、異なる通信プロトコルに準拠した複数のネットワークで構成されていてもよい。通信プロトコルは、周知の様々な有線及び無線通信規格から選択され得る。また、無線通信プロトコルの例としては、無線ＬＡＮ（Local Area Network）の規格（例えば、Ｗｉ−Ｆｉ（登録商標））が挙げられる。図１では簡略化されているが、通信ネットワーク９０は、リピータハブ、スイッチングハブ、ブリッジ、ゲートウェイ、ルータ等のデータ通信機器を含み得る。なお、図１では、通信ネットワーク９０と制御装置４０、複数のインターホン親機５０、サーバ７０、及び複数の情報端末８０それぞれの接続を、破線の矢印で示している。
【００２６】
（２）共用インターホン
共用インターホン３０は、いわゆるロビーインターホンである。共用インターホン３０は、主に、来訪者が施設１００の管理領域１２０にいる居住者を呼出して、居住者と通話をするために利用される。共用インターホン３０は、来訪者が施設１００の管理領域１２０にいる居住者を呼出すための入力装置を備える。入力装置は、来訪者の訪問先の住戸の番号（つまり、管理領域１２０の識別情報）の入力のための装置である。入力装置は、例えば、タッチパッド及び／又は複数の押ボタンを有する。共用インターホン３０は、入力装置で訪問先の住戸の番号が入力されると、操作信号Ｓ１０を第１伝送線Ｌ２１を通じて制御装置４０に送信する。操作信号Ｓ１０は、訪問先の住戸の番号（管理領域１２０の識別情報）を含んでいる。共用インターホン３０は、来訪者が施設１００の居住者と通話をするためのマイクロホン及びスピーカを備えている。つまり、共用インターホン３０は、マイクロホンに入力された音声を音声信号に変換して第１伝送線Ｌ２１により制御装置４０に送信する機能、及び、制御装置４０から受け取った音声信号に基づいてスピーカから音声を出力する機能を有している。共用インターホン３０は、ディジタルカメラを備えていてもよく、これにより、来訪者の画像を居住者に提供できるようになっていてもよい。このような共用インターホン３０は従来周知の構成であってよいから、詳細な説明は省略する。
【００２７】
（３）インターホン子機
インターホン子機６０は、主に、来訪者が施設１００の管理領域１２０にいる居住者を呼出して、居住者と通話をするために利用される。インターホン子機６０は、来訪者が施設１００の管理領域１２０にいる居住者を呼出すための入力装置を備える。入力装置は、例えば、押ボタンを有する。インターホン子機６０は、入力装置が操作されると、呼出し信号（第３呼出し信号）を第２伝送線Ｌ２２を通じてインターホン親機５０に送信する。また、インターホン子機６０は、来訪者が施設１００の居住者と通話をするためのマイクロホン及びスピーカを備えている。インターホン子機６０は、マイクロホンに入力された音声を音声信号に変換して第２伝送線Ｌ２２によりインターホン親機５０に送信する機能、及び、インターホン親機５０から受け取った音声信号に基づいてスピーカから音声を出力する機能を有している。インターホン子機６０は、ディジタルカメラを備えていてもよく、これにより、来訪者の画像をインターホン親機５０に提供できるようになっていてもよい。このようなインターホン子機６０は従来周知の構成であってよいから、詳細な説明は省略する。
【００２８】
（４）制御装置
制御装置４０は、共用インターホン３０とインターホン親機５０又は情報端末８０の通信を制御するために用いられる。また、施設１００では、共用領域１１０から複数の管理領域１２０がある領域に入るためのドアが設置されており、このドアは常時ロックされている。制御装置４０は、このドアのロックを解除する解錠処理を行うためにも用いられる。
【００２９】
制御装置４０は、図２に示すように、通信インターフェース４１と、処理部４２と、を備える。通信インターフェース４１は、第１通信部４１１と、第２通信部４１２と、第３通信部４１３と、を有している。第１通信部４１１は、第１伝送線Ｌ２１を介した通信（共用インターホン３０との通信）を実現する。第２通信部４１２は、通信線Ｌ１０を介した通信（インターホン親機５０との通信）を実現する。第３通信部４１３は、通信ネットワーク９０を介した通信を実現する。なお、第１通信部４１１、第２通信部４１２、及び第３通信部４１３は実体のある構成を示しているわけではなく、通信インターフェース４１によって実現される機能を示している。通信インターフェース４１は、第１伝送線Ｌ２１を介した通信、通信線Ｌ１０を介した通信、及び通信ネットワーク９０を介した通信のそれぞれに対応する通信プロトコルに準拠している。処理部４２は、制御装置４０の動作を制御する電気回路である。処理部４２は、例えば、１以上のプロセッサ（マイクロプロセッサ）と１以上のメモリとにより実現され得る。つまり、１以上のプロセッサが１以上のメモリに記憶された１以上のプログラムを実行することで、処理部４２として機能する。１以上のプログラムは、メモリに予め記録されていてもよいし、インターネット等の電気通信回線を通じて、又はメモリカード等の非一時的な記録媒体に記録されて提供されてもよい。
【００３０】
（５）インターホン親機
インターホン親機５０は、主に、インターホン親機５０に対応する管理領域１２０内にいる人（居住者）が当該管理領域１２０外にいる人（例えば来訪者）と通話をするための機能を有する。インターホン親機５０は、図３に示すように、通信インターフェース５１と、処理部５２と、入力部５３と、出力部５４と、を備えている。
【００３１】
通信インターフェース５１は、第１通信部５１１と、第２通信部５１２と、第３通信部５１３と、を有している。第１通信部５１１は、第２伝送線Ｌ２２を介した通信（例えばインターホン子機６０との通信）を実現する。第２通信部５１２は、通信線Ｌ１０を介した通信（例えば制御装置４０との通信）を実現する。第３通信部４１３は、通信ネットワーク９０を介した通信を実現する。なお、第１通信部５１１、第２通信部５１２、及び第３通信部５１３は実体のある構成を示しているわけではなく、通信インターフェース５１によって実現される機能を示している。通信インターフェース５１は、第２伝送線Ｌ２３を介した通信、通信線Ｌ１０を介した通信、及び通信ネットワーク９０を介した通信のそれぞれに対応する通信プロトコルに準拠している。
【００３２】
入力部５３は、インターホン親機５０を操作するための入力装置、及びマイクロホンを備える。入力装置は、例えば、タッチパッド及び／又は１以上の押ボタンを有する。出力部５４は、情報を表示するための出力装置、及びスピーカを備える。出力装置は、例えば、ディスプレイ（例えば液晶ディスプレイ）を備える。なお、入力部５３のタッチパッドと出力部５４のディスプレイとでタッチパネルが構成されてもよい。
【００３３】
処理部５２は、インターホン親機５０の動作を制御する電気回路である。処理部５２は、例えば、１以上のプロセッサ（マイクロプロセッサ）と１以上のメモリとにより実現され得る。つまり、１以上のプロセッサが１以上のメモリに記憶された１以上のプログラムを実行することで、処理部５２として機能する。１以上のプログラムは、メモリに予め記録されていてもよいし、インターネット等の電気通信回線を通じて、又はメモリカード等の非一時的な記録媒体に記録されて提供されてもよい。
【００３４】
（６）サーバ
サーバ７０は、図４に示すように、通信インターフェース７１と、処理部７２と、を備える。通信インターフェース７１は、通信ネットワーク９０を介した通信を実現する。通信インターフェース７１は、通信ネットワーク９０を介した通信に対応する通信プロトコルに準拠している。処理部７２は、サーバ７０の動作を制御する電気回路である。処理部７２は、例えば、１以上のプロセッサ（マイクロプロセッサ）と１以上のメモリとにより実現され得る。つまり、１以上のプロセッサが１以上のメモリに記憶された１以上のプログラムを実行することで、処理部７２として機能する。１以上のプログラムは、メモリに予め記録されていてもよいし、インターネット等の電気通信回線を通じて、又はメモリカード等の非一時的な記録媒体に記録されて提供されてもよい。
【００３５】
（７）情報端末
情報端末８０は、図５に示すように、通信インターフェース８１と、処理部８２と、入力部８３と、出力部８４と、を備える。情報端末８０は、例えば、スマートフォンである。なお、情報端末８０は、タブレット端末等の携帯端末、又はパーソナルコンピュータ（特に、ラップトップコンピュータ）により実現され得る。通信インターフェース８１は、通信ネットワーク９０を介した通信を実現する。通信インターフェース８１は、通信ネットワーク９０を介した通信に対応する通信プロトコルに準拠している。入力部８３は、情報端末８０を操作するための入力装置、及びマイクロホンを備える。入力装置は、例えば、タッチパッド及び／又は１以上のボタンを有する。出力部８４は、情報を表示するための出力装置、及びスピーカを備える。出力装置は、例えば、ディスプレイ（例えば液晶ディスプレイ）を備える。なお、入力部８３のタッチパッドと出力部８４のディスプレイとでタッチパネルが構成されてもよい。処理部８２は、情報端末８０の動作を制御する電気回路である。処理部８２は、例えば、１以上のプロセッサ（マイクロプロセッサ）と１以上のメモリとにより実現され得る。つまり、１以上のプロセッサが１以上のメモリに記憶された１以上のプログラムを実行することで、処理部８２として機能する。１以上のプログラムは、メモリに予め記録されていてもよいし、インターネット等の電気通信回線を通じて、又はメモリカード等の非一時的な記録媒体に記録されて提供されてもよい。
【００３６】
１．３  動作
次に、制御装置４０、インターホン親機５０、サーバ７０、及び情報端末８０それぞれの動作について説明する。
【００３７】
（１）制御装置
制御装置４０では、処理部４２は、呼出し処理と、待ち受け処理と、確認処理と、中継処理とを実行する機能を有する。ここで、待ち受け処理は、第１待ち受け処理と、第２待ち受け処理とを含む。また、確認処理は、第１確認処理と、第２確認処理とを含む。また、中継処理は、第１中継処理と、第２中継処理とを含む。
【００３８】
呼出し処理は、複数のインターホン親機５０のいずれかを指定する呼出し信号Ｓ２０を通信線Ｌ１０を通る第１通信経路Ｐ１１に出力する処理である。呼出し処理は、共用インターホン３０から操作信号Ｓ１０を受け取ると、開始される。呼出し信号Ｓ２０は、送信先の情報として、来訪者の訪問先の住戸の番号（つまり、管理領域１２０の識別情報）を含む。また、呼出し信号Ｓ２０は、送信元の情報として、制御装置４０の識別情報を含む。呼出し処理では、呼出し処理が終了するまでは、所定間隔で、呼出し信号Ｓ２０を送信してもよい。
【００３９】
第１待ち受け処理は、呼出し信号Ｓ２０で指定されたインターホン親機５０からの呼出し信号Ｓ２０に対する応答信号（親機応答信号）Ｓ４１（図１参照）を、通信線Ｌ１０を通る第１通信経路Ｐ１１で待ち受ける処理である。第１待ち受け処理において応答信号Ｓ４１を受け取ると、処理部４２は、第１確認処理を実行する。
【００４０】
第２待ち受け処理は、呼出し信号Ｓ２０で指定されたインターホン親機５０に対応する１以上の情報端末８０からの呼出し信号Ｓ２０に対する応答信号（端末応答信号）Ｓ４０を、通信線Ｌ１０を通らない第２通信経路Ｐ１２で待ち受ける処理である。第２待ち受け処理において応答信号Ｓ４０を受け取ると、処理部４２は、第２確認処理を実行する。
【００４１】
第１確認処理は、受け取った応答信号Ｓ４１が、呼出し信号Ｓ２０に対する応答であるかどうか（つまり、応答信号Ｓ４１の真偽判断）を確認する処理である。本実施形態では、応答信号Ｓ４１の送信元が呼出し信号Ｓ２０の送信先（呼出し信号Ｓ２０で指定されたインターホン親機５０）と一致していれば、受け取った応答信号Ｓ４１が呼出し信号Ｓ２０に対する応答であると判定される。この場合、処理部４２は呼出し処理及び第２待ち受け処理を終了して第１中継処理を開始する。一方、応答信号Ｓ４１の送信元が呼出し信号Ｓ２０の送信先と一致していなければ、受け取った応答信号Ｓ４１が呼出し信号Ｓ２０に対する応答ではないと判定される。この場合、処理部４２は、第１待ち受け処理及び第２待ち受け処理を継続する。
【００４２】
第２確認処理は、受け取った応答信号Ｓ４０が、呼出し信号Ｓ２０に対する応答であるかどうかを確認する処理である。本実施形態では、応答信号Ｓ４０の送信元（情報端末８０）に対応するインターホン親機５０が呼出し信号Ｓ２０の送信先（呼出し信号Ｓ２０で指定されたインターホン親機５０）と一致していれば、受け取った応答信号Ｓ４０が呼出し信号Ｓ２０に対する応答であると判定される。この場合、処理部４２は呼出し処理及び第１待ち受け処理を終了して第２中継処理を開始する。一方、応答信号Ｓ４０の送信元に対応するインターホン親機５０が呼出し信号Ｓ２０の送信先と一致していなければ、受け取った応答信号Ｓ４０が呼出し信号Ｓ２０に対する応答ではないと判定される。この場合、処理部４２は、第１待ち受け処理及び第２待ち受け処理を継続する。
【００４３】
第１中継処理は、共用インターホン３０と呼出し信号Ｓ２０で指定されたインターホン親機５０との間の接続を確立して、これら間の信号の中継を行う。例えば、第１中継処理では、制御装置４０は、共用インターホン３０と呼出し信号Ｓ２０で指定されたインターホン親機５０とに通話開始要求を送信して、これらの間の相互の通信を開始させる。この第１中継処理により、共用インターホン３０と呼出し信号Ｓ２０で指定されたインターホン親機５０との間の通話が実現される。
【００４４】
第２中継処理は、共用インターホン３０と呼出し信号Ｓ２０で指定されたインターホン親機５０に対応する情報端末８０との接続を確立して、これらの間の信号の中継を行う処理である。例えば、第２中継処理では、制御装置４０は、共用インターホン３０と呼出し信号Ｓ２０で指定されたインターホン親機５０に対応する情報端末８０とに通話開始要求を送信して、これらの間の相互の通信を開始させる。この第２中継処理により、共用インターホン３０と呼出し信号Ｓ２０で指定されたインターホン親機５０に対応する情報端末８０との間の通話が実現される。
【００４５】
以上述べた制御装置４０は、施設１００の複数の管理領域１２０に設置される複数のインターホン親機５０に施設１００内の通信線Ｌ１０を介して接続される。制御装置４０は、呼出し処理と待ち受け処理（第２待ち受け処理）とを行う処理部４２を備える。呼出し処理は、複数のインターホン親機５０のいずれかを指定する呼出し信号Ｓ２０を通信線Ｌ１０を通る第１通信経路Ｐ１１に出力する処理である。待ち受け処理（第２待ち受け処理）は、呼出し信号Ｓ２０で指定されたインターホン親機５０に対応する１以上の情報端末８０からの呼出し信号Ｓ２０に対する応答信号Ｓ４０を、通信線Ｌ１０を通らない第２通信経路Ｐ１２で待ち受ける処理である。
【００４６】
上述したように、処理部４２は、１以上のプロセッサと１以上のメモリとにより実現されている。つまり、処理部４２は、１以上のプロセッサがプログラム（制御プログラム）を実行することにより実現される。制御プログラムは、１以上のプロセッサに、呼出し処理と待ち受け処理とを行わせる指示を含む。呼出し処理は、複数のインターホン親機５０のいずれかを指定する呼出し信号Ｓ２０を通信線Ｌ１０を通る第１通信経路Ｐ１１に出力する処理である。待ち受け処理（第２待ち受け処理）は、呼出し信号Ｓ２０で指定されたインターホン親機５０に対応する１以上の情報端末８０からの呼出し信号Ｓ２０に対する応答信号Ｓ４０を、通信線Ｌ１０を通らない第２通信経路Ｐ１２で待ち受ける処理である。
【００４７】
（２）インターホン親機
インターホン親機５０では、処理部５２は、第１モードと、第２モードと、を有する。第１モードは、インターホン親機５０により呼出しに応答するためのモードである。第１モードは、例えば、インターホン親機５０に対応する管理領域１２０に人がいる場合に選択されるモード（在宅モード）である。第２モードは、情報端末８０により呼出しに応答するためのモードである。第２モードは、例えば、インターホン親機５０に対応する管理領域１２０に人がいない場合に選択されるモード（留守モード）である。
【００４８】
第１モードでは、処理部５２は、通信線Ｌ１０を介して呼出し信号Ｓ２０を受け取ると、呼出しがあったことを出力部５４により通知する。例えば、処理部５２は、出力部５４のスピーカにより報知音を鳴らすとともに、出力部５４のディスプレイに呼出しに応答するかどうかを尋ねる画面を表示する。入力部５３により呼出しに応答することが選択されると、処理部５２は、第２通信部５１２により通信線Ｌ１０を介して応答信号Ｓ４１を制御装置４０に送信する。応答信号Ｓ４１には、送信元の情報として、インターホン親機５０の識別情報が含まれる。一方、入力部５３により呼出しに応答しないことが選択されるか、呼出しがあったことの通知から一定時間が経過すると、処理部５２は、応答信号Ｓ４１を第２通信部５１２から送信することなく処理を終了する。なお、処理部５２は、呼出し信号Ｓ２０が指定するインターホン親機５０が処理部５２の属するインターホン親機５０と一致していなければ、呼出し信号Ｓ２０を受け取らない。なお、呼出しがあったことの通知から一定時間が経過した場合、処理部５２は、情報端末８０を呼び出してもよい。この場合、処理部５２は、呼出し信号Ｓ２０を通信ネットワーク９０を介してサーバ７０に転送すればよい。
【００４９】
また、第１モードでは、処理部５２は、第２伝送線Ｌ２２を介して呼出し信号（子機呼出し信号）Ｓ２１を受け取ると、呼出しがあったことを出力部５４により通知する。例えば、処理部５２は、出力部５４のスピーカにより報知音を鳴らすとともに、出力部５４のディスプレイに呼出しに応答するかどうかを尋ねる画面を表示する。入力部５３により呼出しに応答することが選択されると、処理部５２は、インターホン子機６０との接続を確立して、インターホン親機５０とインターホン子機６０との間の通話を可能にする。一方、入力部５３により呼出しに応答しないことが選択されるか、呼出しがあったことの通知から一定時間が経過すると、処理部５２は、インターホン子機６０との接続を確立せずに処理を終了する。なお、呼出しがあったことの通知から一定時間が経過した場合、処理部５２は、情報端末８０を呼び出してもよい。この場合、処理部５２は、呼出し信号Ｓ２１を通信ネットワーク９０を介してサーバ７０に転送すればよい。この後の処理は、後述する第２モードと同様である。
【００５０】
第２モードでは、処理部５２は、転送部Ｆ３０として機能する（図３参照）。なお、転送部Ｆ３０は実体のある構成を示しているわけではなく、処理部５２によって実現される機能を示している。転送部Ｆ３０は、通信線Ｌ１０を介して呼出し信号Ｓ２０を受け取ると、呼出し信号Ｓ２０を通信ネットワーク９０を介してサーバ７０に転送する。また、転送部Ｆ３０は、第２伝送線Ｌ２２を介して呼出し信号Ｓ２１を受け取ると、呼出し信号Ｓ２１を通信ネットワーク９０を介してサーバ７０に転送する。つまり、インターホン親機５０が第２モードである場合に、通知システム２０が機能する。なお、転送部Ｆ３０は、呼出し信号（Ｓ２０，Ｓ２１）をそのままサーバ７０に転送してもよいし、呼出し信号（Ｓ２０，Ｓ２１）に情報を付加して転送してもよい。つまり、転送部Ｆ３０が受け取る呼出し信号（Ｓ２０，Ｓ２１）と転送部Ｆ３０から出力される呼出し信号（Ｓ２０，Ｓ２１）とは、少なくとも呼出し信号（Ｓ２０，Ｓ２１）が指定するインターホン親機５０と送信元とが同じであればよく、全てが同一である必要はない。
【００５１】
ここで、第２モードにおいて、呼出し信号Ｓ２１をサーバ７０に転送した場合、処理部５２は、第３待ち受け処理を実行する。第３待ち受け処理は、インターホン親機５０に対応する１以上の情報端末８０からの呼出し信号Ｓ２１に対する応答信号（端末応答信号）Ｓ４０を待ち受ける処理である。処理部５２は、第３待ち受け処理において応答信号Ｓ４０を受け取ると、第３確認処理を実行する。第３確認処理は、受け取った応答信号Ｓ４０が、呼出し信号Ｓ２１に対する応答であるかどうかを確認する処理である。本実施形態では、応答信号Ｓ４０の送信元に対応するインターホン親機５０が呼出し信号Ｓ２１の送信先（呼出し信号Ｓ２１で指定されたインターホン親機５０）と一致していれば、受け取った応答信号Ｓ４０が呼出し信号Ｓ２１に対する応答であると判定される。この場合、処理部５２は、第３待ち受け処理を終了して第３中継処理を実行する。第３中継処理は、インターホン子機６０と呼出し信号Ｓ２１の送信先のインターホン親機５０に対応する情報端末８０との接続を確立して、これらの間の信号の中継を行う処理である。この第３中継処理により、インターホン子機６０と呼出し信号Ｓ２１の送信先のインターホン親機５０に対応する情報端末８０との間の通話が実現される。
【００５２】
（３）サーバ
サーバ７０では、処理部７２は、通知部Ｆ１０と、認証部Ｆ２０とを有する（図４参照）。なお、通知部Ｆ１０及び認証部Ｆ２０は実体のある構成を示しているわけではなく、処理部７２によって実現される機能を示している。
【００５３】
認証部Ｆ２０は、認証処理を行う機能を有している。認証処理は、情報端末８０をインターホン親機５０に対応付ける処理である。認証処理では、認証部Ｆ２０は、インターホン親機の識別情報と情報端末の識別情報とを受け付けると、インターホン親機の識別情報で特定されるインターホン親機５０に、情報端末の識別情報で特定される情報端末８０を対応付けて、これらの対応関係を記憶する。認証部Ｆ２０は、施設１００の複数の管理領域１２０に設置される複数のインターホン親機５０のそれぞれについて、インターホン親機５０と情報端末８０との対応関係を記憶する。なお、認証部Ｆ２０では、１つのインターホン親機５０に、１以上の情報端末８０を対応付けることが可能となっている。
【００５４】
例えば、認証部Ｆ２０は、情報端末８０からの通信ネットワーク９０を介したサーバ７０へのアクセスに応答して、認証処理を行うための認証画面を情報端末８０に表示させてもよい。この場合、認証部Ｆ２０は、サーバ７０にアクセスしてきた情報端末８０を、インターホン親機に対応付ける情報端末と判断する。このようなサーバ７０にアクセスしてきた情報端末８０の識別情報は、情報端末８０がサーバ７０と通信する際に情報端末８０からサーバ７０に送信される情報から取得できる。認証画面は、例えば、インターホン親機５０の識別情報を入力するためのボックスを含む。ユーザは、情報端末８０の入力部８３を操作することで認証画面にインターホン親機の識別情報を入力することができる。認証部Ｆ２０は、認諸画面に入力されたインターホン親機の識別情報と、情報端末８０から取得した情報端末の識別情報とに基づいて、認証処理を実行し、インターホン親機５０と情報端末８０との対応関係を記憶する。インターホン親機の識別情報は、例えば、シリアル番号やＱＲコード（登録商標）などの形式で、インターホン親機５０のケースに記載され得る。なお、ＱＲコードを利用する場合には、ＱＲコードに情報として、認証画面を表示するためのＵＲＬアドレスが含まれていてもよい。
【００５５】
通知部Ｆ１０は、通知処理を行う機能を有している。通知部Ｆ１０は、通信線Ｌ１０を通る第１通信経路Ｐ１１を介して送信される複数のインターホン親機５０のいずれかを指定する呼出し信号Ｓ２０を（インターホン親機５０から）受け取ると、通知処理を行うように構成される。通知処理は、呼出し信号Ｓ２０で指定されたインターホン親機５０に対応する１以上の情報端末８０に、通知信号Ｓ３０を送信する処理である。より詳細には、通知処理では、通知部Ｆ１０は、呼出し信号Ｓ２０を受け取ると、認証部Ｆ２０の対応関係を参照して、呼出し信号Ｓ２０で指定されたインターホン親機５０に対応する１以上の情報端末８０に通知信号Ｓ３０を送信する。通知信号Ｓ３０は、通信線Ｌ１０を通らない第２通信経路Ｐ１２を介して呼出し信号Ｓ２０の送信元と接続するための接続情報を含む。本実施形態において、第２通信経路Ｐ１２は、通信ネットワーク９０を通る通信経路である。接続情報は、呼出し信号Ｓ２０の送信元を示す識別情報を含んでいる。
【００５６】
また、本実施形態では、インターホン親機５０の転送部Ｆ３０は、呼出し信号Ｓ２０だけではなく、インターホン子機６０からの呼出し信号Ｓ２１も、サーバ７０に転送する。そのため、通知部Ｆ１０は、呼出し信号Ｓ２１を（インターホン親機５０から）受け取った際も、通知処理を行うように構成される。通知処理では、通知部Ｆ１０は、呼出し信号Ｓ２１で指定されたインターホン親機５０（つまり、呼出し信号Ｓ２１の送信元のインターホン親機５０）に対応する１以上の情報端末８０に、通知信号Ｓ３０を送信する。
【００５７】
ここで、通知部Ｆ１０は、呼出し信号（Ｓ２０，Ｓ２１）に含まれる情報に応じて、呼出し信号（Ｓ２０，Ｓ２１）で特定されるインターホン親機５０に対応付けられた１以上の情報端末８０から通知信号Ｓ３０の送信先を選択するように構成されている。インターホンシステム１０において、呼出し信号（Ｓ２０，Ｓ２１）に含まれる情報は、例えば、呼出し信号（Ｓ２０，Ｓ２１）の送信元である。呼出し信号（Ｓ２０，Ｓ２１）の送信元としては、制御装置４０と、インターホン親機５０（例えば、管理室のインターホン親機）と、インターホン子機６０とがあり得る。この場合、呼出し信号（Ｓ２０，Ｓ２１）の送信元に応じて、通知信号Ｓ３０の送信先を変更することが可能である。例えば、インターホン親機５０に、住戸の親と子供の情報端末８０が対応付けられているとする。この場合、呼出し信号（Ｓ２０）の送信元が制御装置４０であれば、親の情報端末８０だけを通知信号Ｓ３０の送信先として選択することができる。
【００５８】
以上述べたサーバ７０は、通知システム２０に含まれており、通知部Ｆ１０を備える。通知部Ｆ１０は、通信線Ｌ１０を通る第１通信経路Ｐ１１を介して複数のインターホン親機５０のいずれかを指定する呼出し信号Ｓ２０を受け取ると、通知処理を行う。通知処理は、呼出し信号Ｓ２０で指定されたインターホン親機５０に対応する１以上の情報端末８０に、通知信号Ｓ３０を送信する処理である。通知信号Ｓ３０は、通信線Ｌ１０を通らない第２通信経路Ｐ１２を介して呼出し信号Ｓ２０の送信元と接続するための接続情報を含んでいる。
【００５９】
上述したように、処理部７２は、１以上のプロセッサと１以上のメモリとにより実現されている。つまり、通知部Ｆ１０は、１以上のプロセッサがプログラム（通知プログラム）を実行することにより実現される。このような通知プログラムは、１以上のプロセッサに、所定の条件が満たされた際に通知処理を行わせる指示を含む。所定の条件は、施設１００の複数の管理領域１２０に設置された複数のインターホン親機５０が接続された通信線Ｌ１０を通る第１通信経路Ｐ１１を介して複数のインターホン親機５０のいずれかを指定する呼出し信号Ｓ２０を受け取ったことである。通知処理は、呼出し信号Ｓ２０で指定されたインターホン親機５０に対応する１以上の情報端末８０に、通知信号Ｓ３０を送信する処理である。通知信号Ｓ３０は、通信線Ｌ１０を通らない第２通信経路Ｐ１２を介して呼出し信号Ｓ２０の送信元と接続するための接続情報を含んでいる。
【００６０】
（４）情報端末
情報端末８０では、処理部８２は、通知システム２０のサーバ７０（通知部Ｆ１０）から通知信号Ｓ３０を受け取ると、接続処理を開始するように構成される。接続処理は、第２通信経路Ｐ１２を介して呼出し信号（Ｓ２０，Ｓ２１）の送信元と接続する処理である。接続処理では、処理部８２は、インターホン親機５０に呼出しがあったことを出力部８４により通知する。例えば、処理部８２は、出力部８４のスピーカにより報知音を鳴らすとともに、出力部８４のディスプレイに呼出しに応答するかどうかを尋ねる画面を表示する。この画面では、呼出し信号（Ｓ２０，Ｓ２１）の送信元の情報を表示してもよい。そして、入力部８３により呼出しに応答することが選択されると、処理部８２は、通信インターフェース８１により通信ネットワーク９０を介して応答信号Ｓ４０を呼出し信号（Ｓ２０，Ｓ２１）の送信元に送信する。呼出し信号（Ｓ２０，Ｓ２１）の送信元を示す識別情報は、通知信号Ｓ３０に含まれる接続情報から得られる。ここで、呼出し信号（Ｓ２０）の送信元が制御装置４０であれば、応答信号Ｓ４０は、通信ネットワーク９０を介して制御装置４０に送信される。一方、呼出し信号（Ｓ２１）の送信元がインターホン子機６０であれば、応答信号Ｓ４０は、通信ネットワーク９０を介してインターホン子機６０が接続されているインターホン親機５０に送信される。
【００６１】
応答信号Ｓ４０は、送信元の情報として、情報端末８０の識別情報が含まれる。また、応答信号Ｓ４０は、応答信号Ｓ４０の送信元に対応するインターホン親機５０の識別情報を含む。このインターホン親機５０の識別情報は、制御装置４０での第２確認処理に使用される。一方、入力部５３により呼出しに応答しないことが選択されるか、呼出しがあったことの通知から一定時間が経過すると、処理部８２は、応答信号Ｓ４０を通信インターフェース８１から送信することなく処理を終了する。
【００６２】
また、処理部８２は、所定の機能を実現する１以上の処理のうち、ユーザに選択された処理を実行するように構成される。所定の機能は、例えば、制御装置４０と協働して実行する機能である。所定の機能の例としては、制御装置４０との接続を終了する機能と、制御装置４０に解錠処理を実行させる機能とが挙げられる。例えば、処理部８２は、制御装置４０と接続している場合に、制御装置４０との接続を終了する終了処理、制御装置４０に解錠処理を実行させる解除処理を行えるようにする。例えば、処理部８２は、出力部８４のディスプレイに、終了処理のアイコンと解除処理のアイコンとを表示させる。ここで、入力部８３によりアイコンが選択されると、処理部８２は、選択されたアイコンに対応する処理を実行する。また、処理部８２は、ユーザに選択された処理が１以上の処理のうちの禁止された処理に該当すれば、ユーザに選択された処理を実行しないように構成される。例えば、住戸の子供の情報端末８０では、処理部８２は、解除処理のアイコンを出力部８４のディスプレイに選択不可能な状態で表示する。この場合、入力部８３で解除処理のアイコンを選択しても、処理部８２は、制御装置４０に解錠処理を実行させない。このような１以上の処理のうちどの処理を禁止するかは、事前に設定される。
【００６３】
以上述べたように、情報端末８０は、通知システム２０と通信する情報端末であって、通知システム２０から通知信号Ｓ３０を受け取ると接続処理を開始する処理部８２を備えている。接続処理は、第２通信経路Ｐ１２を介して呼出し信号Ｓ２０の送信元と接続する処理である。換言すれば、処理部８２は、次の接続方法を実施する。この接続方法は、施設１００の複数の管理領域１２０に設置されて施設１００内の通信線Ｌ１０に接続される複数のインターホン親機５０を含む通知システム２０から、通知信号Ｓ３０を受け取るステップと、接続処理を行うステップと、を含む。通知信号Ｓ３０は、通信線Ｌ１０を通る第１通信経路Ｐ１１を介して複数のインターホン親機５０のいずれかを指定する呼出し信号Ｓ２０を受け取った際に通知システム２０から送信される信号である。通知信号Ｓ３０は、通信線Ｌ１０を通らない第２通信経路Ｐ１２を介して呼出し信号Ｓ２０の送信元と接続するための接続情報を含む。接続処理は、第２通信経路Ｐ１２を介して呼出し信号Ｓ２０の送信元と接続する処理である。
【００６４】
上述したように、処理部８２は、１以上のプロセッサと１以上のメモリとにより実現されている。つまり、処理部８２は、１以上のプロセッサがプログラム（接続プログラム）を実行することにより実現される。このような接続プログラムは、１以上のプロセッサに、所定の条件が満たされた際に接続処理を行わせる指示を含む。所定の条件は、施設１００の複数の管理領域１２０に設置されて施設１００内の通信線Ｌ１０に接続される複数のインターホン親機５０を含む通知システム２０から通知信号Ｓ３０を受け取ったことである。通知信号Ｓ３０は、通信線Ｌ１０を通る第１通信経路Ｐ１１を介して複数のインターホン親機５０のいずれかを指定する呼出し信号Ｓ２０を受け取った際に通知システム２０から送信される信号である。通知信号Ｓ３０は、通信線Ｌ１０を通らない第２通信経路Ｐ１２を介して呼出し信号Ｓ２０の送信元と接続するための接続情報を含む。接続処理は、第２通信経路Ｐ１２を介して呼出し信号Ｓ２０の送信元と接続する処理である。
【００６５】
つまり、情報端末８０には、接続処理を実行するためのプログラム（接続プログラム）を含む専用のアプリケーションソフト（通信アプリケーションソフト）がインストールされる。情報端末８０の処理部８２が通信アプリケーションソフトを起動することにより、処理部８２は、接続処理の実行が可能となる。
【００６６】
（５）通知システム
以下では、共用インターホン３０が操作された際の通知システム２０の動作について図６を参照して説明する。なお、インターホン親機５０の処理部５２は第２モード（留守モード）であるとする。
【００６７】
まず、共用インターホン３０の入力装置で訪問先の住戸の番号が入力されると、共用インターホン３０は、操作信号Ｓ１０を第１伝送線Ｌ２１を通じて制御装置４０に送信する。
【００６８】
制御装置４０は、共用インターホン３０から操作信号Ｓ１０を受け取ると、呼出し処理を開始する。呼出し処理では、制御装置４０は、呼出し信号Ｓ２０を通信線Ｌ１０を通る第１通信経路Ｐ１１に出力する。この後に、制御装置４０は、第１待ち受け処理及び第２待ち受け処理を実行する。
【００６９】
インターホン親機５０は、通信線Ｌ１０を介して呼出し信号Ｓ２０を受け取ると、転送部Ｆ３０によって、呼出し信号Ｓ２０を通信ネットワーク９０を介してサーバ７０に転送する。
【００７０】
サーバ７０は、呼出し信号Ｓ２０を（インターホン親機５０から）受け取ると、通知処理を行う。通知処理では、サーバ７０は、通知部Ｆ１０により、呼出し信号Ｓ２０で指定されたインターホン親機５０に対応する情報端末８０に、通知信号Ｓ３０を送信する。
【００７１】
情報端末８０は、通知信号Ｓ３０を受け取ると、接続処理を開始し、第２通信経路Ｐ１２を介して呼出し信号Ｓ２０の送信元（制御装置４０）と接続する。これにより、情報端末８０は制御装置４０との通信が可能になる。また、情報端末８０は、インターホン親機５０に呼出しがあったことを出力部８４により通知し、ユーザにより呼出しに応答することが入力部８３で選択されると、通信ネットワーク９０を介して応答信号Ｓ４０を制御装置４０に送信する。
【００７２】
制御装置４０は、応答信号Ｓ４０を受け取ると、第２確認処理を実行する。第２確認処理によって受け取った応答信号Ｓ４０が呼出し信号Ｓ２０に対する応答であることが確認されれば、制御装置４０は呼出し処理及び第１待ち受け処理を終了して第２中継処理を開始する。第２中継処理では、制御装置４０は、共用インターホン３０と呼出し信号Ｓ２０で指定されたインターホン親機５０に対応する情報端末８０とに通話開始要求を送信して、これらの間の相互の通信を開始させる。
【００７３】
これによって、共用インターホン３０と呼出し信号Ｓ２０で指定されたインターホン親機５０に対応する情報端末８０との間の通話が実現される。したがって、通知システム２０によればインターホン親機５０を操作しなくてもインターホン親機５０に対する呼出しへの応答が可能になる。例えば、ユーザが外出中であっても、情報端末８０を用いてインターホン親機５０に対する呼出しへの応答が可能になる。
【００７４】
２．変形例
以上説明した上記実施形態は、本開示の様々な実施形態の一つに過ぎない。また、上記実施形態は、本開示の目的を達成できれば、設計等に応じて種々の変更が可能である。以下に、上記実施形態の変形例を列挙する。
【００７５】
図７は変形例のインターホンシステム１０Ａを示す。インターホンシステム１０Ａは、通知システム２０Ａを含んでいる。通知システム２０Ａは、施設１００の複数の管理領域１２０に設置されて施設１００内の通信線Ｌ１０に接続される複数のインターホン親機５０Ａ（５０１Ａ，５０２Ａ，５０３Ａ）を含む。通知システム２０Ａは、通信線Ｌ１０を通る第１通信経路Ｐ１１を介して複数のインターホン親機５０Ａのいずれか（図７ではインターホン親機５０１Ａ）を指定する呼出し信号Ｓ２０を受け取ると、通知処理を行う通知部Ｆ１０を備える。通知処理は、呼出し信号Ｓ２０で指定されたインターホン親機５０１Ａに対応する１以上の情報端末８０（図７では情報端末８０１）に、通知信号Ｓ３０を送信する処理である。通知信号Ｓ３０は、通信線Ｌ１０を通らない第２通信経路Ｐ１２を介して呼出し信号Ｓ２０の送信元（図７では制御装置４０）と接続するための接続情報を含む。
【００７６】
なお、図７では、第１通信経路Ｐ１１は、インターホン親機５０１Ａが呼出し信号Ｓ２０で指定された場合に対応する。呼出し信号Ｓ２０がインターホン親機５０１Ａとは別のインターホン親機５０（例えば、インターホン親機５０２Ａ又はインターホン親機５０３Ａ）を指定する場合は、第１通信経路Ｐ１１は、図７とは異なる経路となるが、通信線Ｌ１０は通る。また、第２通信経路Ｐ１２は、通知信号Ｓ３０が情報端末８０１に送信された場合に対応する通信経路であり、呼出し信号Ｓ２０の送信元は制御装置４０である。通知信号Ｓ３０が情報端末８０１とは別の情報端末８０（例えば、情報端末８０２）に送信された場合には、第２通信経路Ｐ１２は、図７とは異なる経路となるが、通信線Ｌ１０は通らない。
【００７７】
通知システム２０Ａは、複数のインターホン親機５０Ａを含んでいる。通知システム２０Ａは、通知システム２０とは異なり、サーバ７０を含んでいない。
【００７８】
インターホン親機５０Ａは、図８に示すように、通信インターフェース５１と、処理部５２Ａと、入力部５３と、出力部５４と、を備えている。処理部５２Ａは、処理部５２とは異なり、転送部Ｆ３０を有していない。ただし、処理部５２Ａは、通知システム２０ではサーバ７０の処理部７２が有していた通知部Ｆ１０及び認証部Ｆ２０を有している。つまり、処理部５２Ａは、第２モードでは、転送部Ｆ３０ではなく、通知部Ｆ１０及び認証部Ｆ２０として機能する。ここで、処理部５２Ａの認証部Ｆ２０は、サーバ７０にある場合とは異なり、施設１００の複数の管理領域１２０に設置される複数のインターホン親機５０Ａのそれぞれについて、インターホン親機５０Ａと情報端末８０との対応関係を記憶している必要はない。つまり、処理部５２Ａの認証部Ｆ２０は、処理部５２Ａが属するインターホン親機５０Ａについて、インターホン親機５０Ａと情報端末８０との対応関係を記憶していればよい。
【００７９】
通知システム２０Ａでは、インターホン親機５０Ａの処理部５２Ａが通知部Ｆ１０を有しているから、通知システム２０とは異なり、呼出し信号Ｓ２０及び呼出し信号Ｓ２１を転送部Ｆ３０を介さずに直接受け取ることになる。
【００８０】
以下では、共用インターホン３０が操作された際の通知システム２０Ａの動作について図９を参照して説明する。なお、インターホン親機５０Ａの処理部５２Ａは第２モードであるとする。
【００８１】
まず、共用インターホン３０の入力装置で訪問先の住戸の番号が入力されると、共用インターホン３０は、操作信号Ｓ１０を第１伝送線Ｌ２１を通じて制御装置４０に送信する。
【００８２】
制御装置４０は、共用インターホン３０から操作信号Ｓ１０を受け取ると、呼出し処理を開始する。呼出し処理では、制御装置４０は、呼出し信号Ｓ２０を通信線Ｌ１０を通る第１通信経路Ｐ１１に出力する。この後に、制御装置４０は、第１待ち受け処理及び第２待ち受け処理を実行する。
【００８３】
インターホン親機５０Ａは、通信線Ｌ１０を介して呼出し信号Ｓ２０を受け取ると、通知処理を行う。通知処理では、インターホン親機５０Ａは、通知部Ｆ１０により、呼出し信号Ｓ２０で指定されたインターホン親機５０Ａに対応する情報端末８０に、通知信号Ｓ３０を送信する。
【００８４】
情報端末８０は、通知信号Ｓ３０を受け取ると、接続処理を開始し、第２通信経路Ｐ１２を介して呼出し信号Ｓ２０の送信元（制御装置４０）と接続する。これにより、情報端末８０は制御装置４０との通信が可能になる。また、情報端末８０は、インターホン親機５０Ａに呼出しがあったことを出力部８４により通知し、ユーザにより呼出しに応答することが入力部８３で選択されると、通信ネットワーク９０を介して応答信号Ｓ４０を制御装置４０に送信する。
【００８５】
制御装置４０は、応答信号Ｓ４０を受け取ると、第２確認処理を実行する。第２確認処理によって受け取った応答信号Ｓ４０が呼出し信号Ｓ２０に対する応答であることが確認されれば、制御装置４０は呼出し処理及び第１待ち受け処理を終了して第２中継処理を開始する。第２中継処理では、制御装置４０は、共用インターホン３０と呼出し信号Ｓ２０で指定されたインターホン親機５０Ａに対応する情報端末８０とに通話開始要求を送信して、これらの間の相互の通信を開始させる。
【００８６】
これによって、共用インターホン３０と呼出し信号Ｓ２０で指定されたインターホン親機５０Ａに対応する情報端末８０との間の通話が実現される。
【００８７】
このように、通知システム２０Ａでは、通知部Ｆ１０がサーバ７０ではなく、インターホン親機５０Ａに設けられている。なお、通知システム２０及び通知システム２０Ａでは、通知部Ｆ１０と認証部Ｆ２０とは同じ装置（インターホン親機５０Ａ又はサーバ７０）に設けられているが、別々の装置に設けられていてもよい。例えば、通知部Ｆ１０と認証部Ｆ２０との一方がインターホン親機（５０，５０Ａ）に、他方がサーバ７０に設けられていてもよい。また、通知システム（２０，２０Ａ）は、必ずしもインターホン親機（５０，５０Ａ）を含んでいる必要はない。つまり、通知システムは、１又は複数のコンピュータにより構成されていればよく、通知システムの機能（特に、通知部Ｆ１０及び認証部Ｆ２０の機能）は、複数の装置に分散されていてもよい。更に、通知システムの機能の少なくとも一部が、例えば、クラウド（クラウドコンピューティング）によって実現されていてもよい。
【００８８】
換言すれば、本開示における通知システムの実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における通知システムの実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００８９】
また、別の変形例では、情報端末８０の処理部８２は、呼出し信号Ｓ２０の送信元に呼出し信号Ｓ２０に対する応答信号Ｓ４０を送信すると、応答信号Ｓ４０を送信したことを通知システム（２０；２０Ａ）に通知するように構成されていてもよい。例えば、処理部８２は、応答完了信号を通知システム（２０；２０Ａ）の通知部Ｆ１０に送信してもよい。通知部Ｆ１０は、応答完了信号を受け取った後は、呼出し信号Ｓ２０に対して通知処理の実行を行わないようにしてもよい。あるいは、転送部Ｆ３０がある場合、通知部Ｆ１０は、転送部Ｆ３０に応答停止信号を送って、転送部Ｆ３０が呼出し信号Ｓ２０を転送しないようにしてもよい。また、通知部Ｆ１０は、呼出し信号Ｓ２０で指定されたインターホン親機（５０；５０Ａ）に、応答停止信号を送って、インターホン親機（５０；５０Ａ）の出力部５４によって情報端末８０で呼出し信号Ｓ２０に対して応答済みであることを通知してもよい。
【００９０】
また、別の変形例では、呼出し信号Ｓ２０は、呼出し信号Ｓ２０に対する応答信号の真偽を判断するための情報として、照合情報を含んでいてもよい。この場合、通知部Ｆ１０は、呼出し信号Ｓ２０に含まれる照合情報を通知信号Ｓ３０に含めて送信する。また、情報端末８０は、応答信号Ｓ４０に通知信号Ｓ３０に含まれる照合情報を含めて送信する。これにより、制御装置４０は、呼出し信号Ｓ２０に含まれる照合情報と受け取った応答信号Ｓ４０に含まれる照合情報とが一致するかどうかにより、受け取った応答信号Ｓ４０が呼出し信号Ｓ２０に対する応答であるかどうかを確認する確認処理を行える。照合情報の例としては、ワンタイムパスワード、管理領域１２０の識別番号（例えば住戸の番号）、及びタイムスタンプが挙げられる。
【００９１】
また、別の変形例では、制御装置４０は、上記の呼出し処理（以下、必要に応じて「第１呼出し処理」という）に加えて、別の呼出し処理（以下、必要に応じて「第２呼出し処理」）を行ってもよい。第２呼出し処理は、１以上の情報端末８０に、通信線Ｌ１０を通らない第２通信経路Ｐ１２を介して呼出し信号（第２呼出し信号）を送信する処理である。前記１以上の情報端末８０は、第１呼出し処理で送信される呼出し信号（必要に応じて「第１呼出し信号」という）Ｓ２０で指定されたインターホン親機（５０；５０Ａ）に対応する。つまり、制御装置４０は、インターホン親機５０だけではなく、インターホン親機５０に対応する１以上の情報端末８０にも呼出し信号Ｓ２０を送信してもよい。第２呼出し処理を行うにあたっては、インターホン親機（５０；５０Ａ）に対応する１以上の情報端末８０についての情報が必要になるが、当該情報は、認証部Ｆ２０から得ればよい。
【００９２】
ここで、情報端末８０の処理部８２は、制御装置４０から第２呼出し信号を受け取ると、接続処理（第２接続処理）を開始するように構成される。第２接続処理は、第２通信経路Ｐ１２を介して第２呼出し信号の送信元と接続する処理である。第２接続処理では、処理部８２は、インターホン親機５０に呼出しがあったことを出力部８４により通知する。例えば、処理部８２は、出力部８４のスピーカにより報知音を鳴らすとともに、出力部８４のディスプレイに呼出しに応答するかどうかを尋ねる画面を表示する。入力部８３により呼出しに応答することが選択されると、処理部８２は、通信インターフェース８１により通信ネットワーク９０を介して応答信号Ｓ４０を第２呼出し信号の送信元（つまり、制御装置４０）に送信する。
【００９３】
以上述べた制御装置４０は、施設１００の管理領域１２０に設置されるインターホン親機（５０；５０Ａ）に施設１００内の通信線Ｌ１０を介して接続される。処理部４２は、第１呼出し処理と第２呼出し処理とを行ってもよい。第１呼出し処理は、施設１００の管理領域１２０に設置されて施設１００内の通信線Ｌ１０に接続されるインターホン親機（５０；５０Ａ）を指定する第１呼出し信号Ｓ２０を通信線Ｌ１０を通る第１通信経路Ｐ１１に出力する処理である。第２呼出し処理は、第１呼出し信号Ｓ２０で指定されたインターホン親機（５０；５０Ａ）に対応する１以上の情報端末８０に、通信線Ｌ１０を通らない第２通信経路Ｐ１２を介して第２呼出し信号を送信する処理である。
【００９４】
上述したように、処理部４２は、１以上のプロセッサと１以上のメモリとにより実現されている。つまり、処理部４２は、１以上のプロセッサがプログラム（制御プログラム）を実行することにより実現される。制御プログラムは、１以上のプロセッサに、第１呼出し処理と第２呼出し処理とを行わせる指示を含む。第１呼出し処理は、施設１００の管理領域１２０に設置されて施設１００内の通信線Ｌ１０に接続されるインターホン親機（５０；５０Ａ）を指定する第１呼出し信号Ｓ２０を通信線Ｌ１０を通る第１通信経路Ｐ１１に出力する処理である。第２呼出し処理は、第１呼出し信号Ｓ２０で指定されたインターホン親機（５０；５０Ａ）に対応する１以上の情報端末８０に、通信線Ｌ１０を通らない第２通信経路Ｐ１２を介して第２呼出し信号を送信する処理である。
【００９５】
３．態様
上記実施形態及び変形例から明らかなように、第１の態様の通知システム（２０；２０Ａ）は、呼出し信号（Ｓ２０）を受け取ると通知処理を行う通知部（Ｆ１０）を備える。前記呼出し信号（Ｓ２０）は、施設（１００）の管理領域（１２０）に設置されて前記施設（１００）内の通信線（Ｌ１０）に接続されるインターホン親機（５０；５０Ａ）のいずれかを指定する信号である。前記呼出し信号（Ｓ２０）は、前記通信線（Ｌ１０）を通る第１通信経路（Ｐ１１）を介して送信される。前記通知処理は、前記呼出し信号（Ｓ２０）で指定されたインターホン親機（５０；５０Ａ）に対応する１以上の情報端末（８０）に、通知信号（Ｓ３０）を送信する処理である。前記通知信号（Ｓ３０）は、前記通信線（Ｌ１０）を通らない第２通信経路（Ｐ１２）を介して前記呼出し信号（Ｓ２０）の送信元と接続するための接続情報を含む。第１の態様によれば、インターホン親機（５０；５０Ａ）を操作しなくてもインターホン親機（５０；５０Ａ）に対する呼出しへの応答が行える。
【００９６】
第２の態様の通知システム（２０；２０Ａ）は、第１の態様との組み合わせにより実現され得る。第２の態様では、前記接続情報は、前記呼出し信号（Ｓ２０）の送信元を示す識別情報を含む。第２の態様によれば、インターホン親機（５０；５０Ａ）を操作しなくてもインターホン親機（５０；５０Ａ）に対する呼出しへの応答が行える。
【００９７】
第３の態様の通知システム（２０；２０Ａ）は、第１又は第２の態様との組み合わせにより実現され得る。第３の態様では、前記通知部（Ｆ１０）は、前記呼出し信号（Ｓ２０）に含まれる情報に応じて、前記１以上の情報端末（８０）から前記通知信号（Ｓ３０）の送信先を選択するように構成される。第３の態様によれば、呼出し信号（Ｓ２０）に含まれる情報に対応して、通知信号（Ｓ３０）の送信先を設定できる。
【００９８】
第４の態様の情報端末（８０）は、第１〜第３の態様のいずれか一つの通知システム（２０；２０Ａ）と通信する情報端末であって、処理部（８２）を備える。前記処理部（８２）は、前記通知システム（２０；２０Ａ）から前記通知信号（Ｓ３０）を受け取ると、接続処理を開始するように構成される。前記接続処理は、前記第２通信経路（Ｐ１２）を介して前記呼出し信号（Ｓ２０）の送信元と接続する処理である。第４の態様によれば、インターホン親機（５０；５０Ａ）を操作しなくてもインターホン親機（５０；５０Ａ）に対する呼出しへの応答が行える。
【００９９】
第５の態様の情報端末（８０）は、第４の態様との組み合わせにより実現され得る。第５の態様では、前記処理部（８２）は、前記呼出し信号（Ｓ２０）の送信元に前記呼出し信号（Ｓ２０）に対する応答信号（Ｓ４０）を送信すると、前記応答信号（Ｓ４０）を送信したことを前記通知システム（２０；２０Ａ）に通知するように構成される。第５の態様によれば、情報端末（８０）が呼出し信号（Ｓ２０）に対して応答したことをインターホン親機（５０；５０Ａ）が把握できる。
【０１００】
第６の態様の情報端末（８０）は、第４又は第５の態様との組み合わせにより実現され得る。第６の態様では、前記処理部（８２）は、所定の機能を実現する１以上の処理のうち、ユーザに選択された処理を実行するように構成される。前記処理部（８２）は、ユーザに選択された処理が前記１以上の処理のうちの禁止された処理に該当すれば、ユーザに選択された処理を実行しないように構成される。第６の態様によれば、情報端末（８０）で実行可能な処理を制限できる。
【０１０１】
第７の態様の制御装置（４０）は、施設（１００）の管理領域（１２０）に設置されるインターホン親機（５０；５０Ａ）に前記施設（１００）内の通信線（Ｌ１０）を介して接続される制御装置であって、処理部（４２）を備える。前記処理部（４２）は、呼出し処理と待ち受け処理とを行うように構成される。前記呼出し処理は、前記インターホン親機（５０；５０Ａ）を指定する呼出し信号（Ｓ２０）を前記通信線（Ｌ１０）を通る第１通信経路（Ｐ１１）に出力する処理である。前記待ち受け処理は、前記呼出し信号（Ｓ２０）で指定されたインターホン親機（５０；５０Ａ）に対応する１以上の情報端末（８０）からの前記呼出し信号（Ｓ２０）に対する応答信号（Ｓ４０）を、第２通信経路（Ｐ１２）で待ち受ける処理である。前記第２通信経路（Ｐ１２）は、前記通信線（Ｌ１０）を通らない通信経路である。第７の態様によれば、インターホン親機（５０；５０Ａ）を操作しなくてもインターホン親機（５０；５０Ａ）に対する呼出しへの応答が行える。
【０１０２】
第８の態様の制御装置（４０）は、第７の態様との組み合わせにより実現され得る。第８の態様では、前記処理部（４２）は、前記応答信号（Ｓ４０）を受け取ると、前記呼出し処理を終了するように構成される。第８の態様によれば、インターホン親機（５０；５０Ａ）の呼出し信号（Ｓ２０）に対する動作を終了させることができる。
【０１０３】
第９の態様の制御装置（４０）は、第７又は第８の態様との組み合わせにより実現され得る。第９の態様では、前記処理部（４２）は、受け取った応答信号（Ｓ４０）が、前記呼出し信号（Ｓ２０）に対する応答であるかどうかを確認する確認処理を行うように構成される。第９の態様によれば、呼出し信号（Ｓ２０）が指定するインターホン親機（５０；５０Ａ）に対応していない情報端末（８０）を呼出し信号（Ｓ２０）が指定するインターホン親機（５０；５０Ａ）に対応する情報端末（８０）と間違う可能性を低減できる。
【０１０４】
第１０の態様の制御装置（４０）は、施設（１００）の管理領域（１２０）に設置されるインターホン親機（５０；５０Ａ）に前記施設（１００）内の通信線（Ｌ１０）を介して接続される制御装置であって、処理部（４２）を備える。前記処理部（４２）は、第１呼出し処理と第２呼出し処理とを行うように構成される。前記第１呼出し処理は、前記インターホン親機（５０；５０Ａ）を指定する第１呼出し信号（Ｓ２０）を前記通信線（Ｌ１０）を通る第１通信経路（Ｐ１１）に出力する処理である。前記第２呼出し処理は、前記第１呼出し信号（Ｓ２０）で指定されたインターホン親機（５０；５０Ａ）に対応する１以上の情報端末（８０）に、前記通信線（Ｌ１０）を通らない第２通信経路（Ｐ１２）を介して第２呼出し信号を送信する処理である。第１０の態様によれば、インターホン親機（５０；５０Ａ）を操作しなくてもインターホン親機（５０；５０Ａ）に対する呼出しへの応答が行える。
【０１０５】
第１１の態様の通知プログラムは、１以上のプロセッサに、所定の条件が満たされた際に通知処理を行わせる指示を含む。前記所定の条件は、施設（１００）の管理領域（１２０）に設置されたインターホン親機（５０；５０Ａ）が接続された通信線（Ｌ１０）を通る第１通信経路（Ｐ１１）を介して呼出し信号（Ｓ２０）を受け取ったことである。前記呼出し信号（Ｓ２０）は、前記インターホン親機（５０；５０Ａ）を指定する信号である。前記通知処理は、前記呼出し信号（Ｓ２０）で指定されたインターホン親機（５０；５０Ａ）に対応する１以上の情報端末（８０）に、通知信号（Ｓ３０）を送信する処理である。前記通知信号（Ｓ３０）は、前記通信線（Ｌ１０）を通らない第２通信経路（Ｐ１２）を介して前記呼出し信号（Ｓ２０）の送信元と接続するための接続情報を含む。第１１の態様によれば、インターホン親機（５０；５０Ａ）を操作しなくてもインターホン親機（５０；５０Ａ）に対する呼出しへの応答が行える。
【０１０６】
第１２の態様の接続プログラムは、１以上のプロセッサに、１以上のプロセッサに、所定の条件が満たされた際に接続処理を行わせる指示を含む。前記所定の条件は、施設（１００）の管理領域（１２０）に設置されて前記施設（１００）内の通信線（Ｌ１０）に接続されるインターホン親機（５０；５０Ａ）を含む通知システム（２０；２０Ａ）から通知信号（Ｓ３０）を受け取ったことである。前記通知信号（Ｓ３０）は、前記通信線（Ｌ１０）を通る第１通信経路（Ｐ１１）を介して前記インターホン親機（５０；５０Ａ）を指定する呼出し信号（Ｓ２０）を受け取った際に前記通知システム（２０；２０Ａ）から送信される信号である。前記通知信号（Ｓ３０）は、前記通信線（Ｌ１０）を通らない第２通信経路（Ｐ１２）を介して前記呼出し信号（Ｓ２０）の送信元と接続するための接続情報を含む。前記接続処理は、前記第２通信経路（Ｐ１２）を介して前記呼出し信号（Ｓ２０）の送信元と接続する処理である。第１２の態様によれば、インターホン親機（５０；５０Ａ）を操作しなくてもインターホン親機（５０；５０Ａ）に対する呼出しへの応答が行える。
【０１０７】
第１３の態様の制御プログラムは、１以上のプロセッサに、呼出し処理と待ち受け処理とを行わせる指示を含む。前記呼出し処理は、インターホン親機（５０；５０Ａ）のいずれかを指定する呼出し信号（Ｓ２０）を第１通信経路（Ｐ１１）に出力する処理である。前記インターホン親機（５０；５０Ａ）は、施設（１００）の管理領域（１２０）に設置されて前記施設（１００）内の通信線（Ｌ１０）に接続される。前記第１通信経路（Ｐ１１）は、前記通信線（Ｌ１０）を通る。前記待ち受け処理は、前記呼出し信号（Ｓ２０）で指定されたインターホン親機（５０；５０Ａ）に対応する１以上の情報端末（８０）からの前記呼出し信号（Ｓ２０）に対する応答信号（Ｓ４０）を、第２通信経路（Ｐ１２）で待ち受ける処理である。前記第２通信経路（Ｐ１２）は、前記通信線（Ｌ１０）を通らない通信経路である。第１３の態様によれば、インターホン親機（５０；５０Ａ）を操作しなくてもインターホン親機（５０；５０Ａ）に対する呼出しへの応答が行える。
【０１０８】
第１４の態様の制御プログラムは、１以上のプロセッサに、第１呼出し処理と第２呼出し処理とを行わせる指示を含む。前記第１呼出し処理は、インターホン親機（５０；５０Ａ）のいずれかを指定する第１呼出し信号（Ｓ２０）を第１通信経路（Ｐ１１）に出力する処理である。前記インターホン親機（５０；５０Ａ）は、施設（１００）の管理領域（１２０）に設置されて前記施設（１００）内の通信線（Ｌ１０）に接続される。前記第１通信経路（Ｐ１１）は、前記通信線（Ｌ１０）を通る通信経路である。前記第２呼出し処理は、前記第１呼出し信号（Ｓ２０）で指定されたインターホン親機（５０；５０Ａ）に対応する１以上の情報端末（８０）に、前記通信線（Ｌ１０）を通らない第２通信経路（Ｐ１２）を介して第２呼出し信号を送信する処理である。第１４の態様によれば、インターホン親機（５０；５０Ａ）を操作しなくてもインターホン親機（５０；５０Ａ）に対する呼出しへの応答が行える。
【０１０９】
第１５の態様の接続方法は、通知システム（２０；２０Ａ）から通知信号（Ｓ３０）を受け取るステップと、接続処理を行うステップと、を含む。前記通知信号（Ｓ３０）は、呼出し信号（Ｓ２０）を受け取った際に前記通知システム（２０；２０Ａ）から送信される信号である。前記呼出し信号（Ｓ２０）は、施設（１００）の管理領域（１２０）に設置されて前記施設（１００）内の通信線（Ｌ１０）に接続されるインターホン親機（５０；５０Ａ）を指定する信号である。前記呼出し信号（Ｓ２０）は、前記通信線（Ｌ１０）を通る第１通信経路（Ｐ１１）を介して送信される。前記通知信号（Ｓ３０）は、前記通信線（Ｌ１０）を通らない第２通信経路（Ｐ１２）を介して前記呼出し信号（Ｓ２０）の送信元と接続するための接続情報を含む。前記接続処理は、前記第２通信経路（Ｐ１２）を介して前記呼出し信号（Ｓ２０）の送信元と接続する処理である。第１５の態様によれば、インターホン親機（５０；５０Ａ）を操作しなくてもインターホン親機（５０；５０Ａ）に対する呼出しへの応答が行える。
【符号の説明】
【０１１０】
２０，２０Ａ  通知システム
４０  制御装置
４２  処理部
５０，５０１，５０２，５０３インターホン親機
５０Ａ，５０１Ａ，５０２Ａ，５０３Ａ  インターホン親機
８０，８０１，８０２  情報端末
８２  処理部
１００  施設
１２０  管理領域
Ｌ１０  通信線
Ｐ１１  第１通信経路
Ｐ１２  第２通信経路
Ｆ１０  通知部
Ｓ２０  呼出し信号
Ｓ３０  通知信号
Ｓ４０  応答信号
【図１】
2019102949.tif 000003
【図２】
2019102949.tif 000004
【図３】
2019102949.tif 000005
【図４】
2019102949.tif 000006
【図５】
2019102949.tif 000007
【図６】
2019102949.tif 000008
【図７】
2019102949.tif 000009
【図８】
2019102949.tif 000010
【図９】
2019102949.tif 000011